(57)【特許請求の範囲】
【請求項１】
箱体を構成する面のうち少なくとも４つの面が筒状体を構成するとともに、これら４つの面のうち第１面は第２面に、第２面は第３面に、第３面は第４面にそれぞれ隣接し、
第２面には第３面に対して軸支される揺動部を備え、第１面には前記揺動部に対して軸支される可動部を備え、前記揺動部及び前記可動部が箱体の蓋を構成する包装箱であって、
前記可動部の内側から第２面の内側、第３面の内側及び第４面の内側に沿って延在する内側部材を設けるとともに、その両端をそれぞれ前記可動部と第４面とに支持させた、包装箱。
【請求項２】
請求項１に記載の包装箱において、
前記第１面には箱体構成材料を２重に配し、この２重の箱体構成材料のうち、
外側の箱体構成材料は前記第２面の揺動部に対して軸支される可動部とし、
内側の箱体構成材料は切断予定線に沿って少なくとも２つの部分に分離可能であり、この２つの部分のうち、一方の部分は第１面に固定させて箱体の壁面の一部とし、他方の部分は前記外側部分に貼付させて前記内側部材の一部とする、包装箱。
【請求項３】
請求項１に記載の包装箱において、
前記内側部材の一部に、前記内側部材の前記両端を互いに逆方向に引張ったときに内側部材が分離可能に切断予定線を形成した、包装箱。
【請求項４】
請求項１に記載の包装箱において、
前記第２面又は前記第３面の一部をめくり上げることによって箱体の吊下げ手段を形成可能に構成した、包装箱。
【発明の詳細な説明】
【０００１】
【発明の属する技術分野】
本発明は包装箱に係り、特に、箱体中の固定部の剥離防止および内容物の取出し容易化を目的とした包装箱の改良に関する。また、吊下げ手段を形成するために箱体の一部をめくり上げて開口が形成されても箱体の中身が露出しない包装箱の改良に関する。
【０００２】
【従来の技術】
箱体に切断予定線を形成して開口可能にした包装箱が従来から存在する。特に、その切断予定線の形成部より大きな外蓋を開口部に重ねて貼着し、外蓋を開くと切断予定線が切れて開口するものが存在する。例えば、特開平１０−３５６５４号公報は、図１に示すような構成において、前面パネル３に、開口部Ｋを形成する破断線ｍを設け、差し込み片９を後面パネル１の内面に貼着し、開口領域Ｋと開閉パネル７の裏面とを貼着したカートンを開示している。
【０００３】
【発明が解決しようとする課題】
このように構成した従来の包装箱では、蓋を大きく開けた時に固定部が剥離して箱体に隙間が空いてしまったり、箱体が破れてしまうことがあった。
【０００４】
また、従来の包装箱では、内容物の取出しを可能にはしているが、内容物を積極的に取出し易くする工夫は見られない。
【０００５】
また、釘などの突起に引掛けるための吊下げ手段を形成するために、箱体の一部をめくり上げると、箱体に開口が形成されてしまう。そのため従来はその開口が形成される部分を２重構造とするため、箱体を構成する壁面を１つ追加する必要があった（実開昭６２−２０３８７８号公報など）。
【０００６】
そこで本発明は、蓋を開けても箱体が破損することがなく、しかも内容物を取出し易い包装箱を提供することを目的とする。また、箱体の一部をめくり上げて形成される開口を塞ぐために、他の用途のために設けられる部材を兼用させて箱体構成材料を有効に活用できる包装箱を提供することを目的とする。
【０００７】
【課題を解決するための手段】
（１）上記目的を達成するため、本発明の包装箱は、箱体を構成する面のうち少なくとも４つの面が筒状体を構成するとともに、これら４つの面のうち第１面は第２面に、第２面は第３面に、第３面は第４面にそれぞれ隣接し、第２面には第３面に対して軸支される揺動部を備え、第１面には前記揺動部に対して軸支される可動部を備え、前記揺動部及び前記可動部が箱体の蓋を構成する包装箱であって、前記可動部の内側から第２面の内側、第３面の内側及び第４面の内側に沿って延在する内側部材を設けるとともに、その両端をそれぞれ前記可動部と第４面とに支持させたことを特徴とする。
【０００８】
内側部材が可動部と第４面とに支持されているので、箱体に剥離や破損が生じにくくすることができる。
【０００９】
（２）また、本発明の包装箱は、前記第１面には箱体構成材料を２重に配し、この２重の箱体構成材料のうち、外側の箱体構成材料は前記第２面の揺動部に対して軸支される可動部とし、内側の箱体構成材料は切断予定線に沿って少なくとも２つの部分に分離可能であり、この２つの部分のうち、一方の部分は第１面に固定させて箱体の壁面の一部とし、他方の部分は前記外側部分に貼付させて前記内側部材の一部としてもよい。
【００１０】
（３）また、本発明の包装箱は、前記内側部材の一部に、前記内側部材の前記両端を互いに逆方向に引張ったときに内側部材が分離可能に切断予定線を形成してもよい。
【００１１】
内側部材が長手方向に分離可能に切断予定線を形成したので、蓋を強く開こうとした場合には、箱体に剥離や破損が生じる前に内側部材が切断され、箱体に剥離や破損が生じないようにすることができる。
【００１２】
（４）また、本発明の包装箱は、前記第２面又は前記第３面の一部をめくり上げることによって箱体の吊下げ手段を形成可能に構成していてもよい。
【００１３】
第２面及び第３面には、その内側に沿って開口部の開口制限手段である内側部材が延在しているので、内側部材が、蓋の開き過ぎの防止という本来の目的の他に、更に吊下げタブの形成により形成される穴の閉塞という役割も果たすことができる。
【００１４】
なお、本発明の切断予定線とは、切線において部分的に連結部を残したリード罫やミシン目、ハーフカット、厚みを薄くする等の方法により、箱体構成材料を所望の形状に切り離すことができるように加工した線であり、箱体の折曲げ線上に施すこともある。
【００１５】
【発明の実施の形態】
次に、図面を参照しながら本発明の実施の形態を説明する。
【００１６】
（構成）
図２は、本発明の１実施形態による包装箱の展開図であり、図３は、上記包装箱を組立てた状態における、右側面と左側面との中間において側面と平行に切断した場合の切断面図である。
【００１７】
これらの図に示されるように、包装箱は、組立てた状態で背面（第１面）に位置する外蓋１１、上面（第２面）に位置する上面部２１、正面（第３面）に位置する正面部３１、底面（第４面）に位置する底面部４１、更に背面に位置する背面部１２ａを備えている。また、内側部材を構成する内蓋１２ｂ、内側上面部２２、内側正面部３２、内側底面部４２を備えている。図２に示されるように、これら外蓋１１から内側底面部４２までが、展開図では１列に配置される。包装箱は更に右側面部５０と左側面部６０とを備えている。
【００１８】
外蓋１１、上面部２１、正面部３１、底面部４１、背面部１２ａの幅は互いにほぼ同一である。それに比べ、内側部材を構成する内側上面部２２、内側正面部３２、内側底面部４２は幅が狭くなっており、特にこれらのうち内側底面部４２の幅が最も狭くなっている。
【００１９】
背面部１２ａと内蓋１２ｂとの間は切断予定線１２ｃで分離可能に構成される。それ以外の各面の間は、折曲げ線を介して互いに連結され、全体で１枚の箱体構成材料（厚紙、プラスチックなど）から構成される。
【００２０】
上面部２１は、切断予定線２１ｃで切断することにより、引掛け手段である引掛けタブ２１ｂを上面部本体２１ａから起す（めくり上げる）ことが可能である。引掛けタブ２１ｂには、釘などの突起物に箱体を吊下げるための孔が形成されている。なお、この実施形態では切断予定線２１ｃを形成したが、予め切断しておいて引掛け手段をめくり上げるだけで吊下げ可能にする構成であってもよい。
【００２１】
また、内側正面部３２と内側底面部４２との間にも、切断予定線４２ｃが形成されており、内側部材を長手方向に分離可能になっている。但し、この切断予定線４２ｃは、通常の使用状態で切断することを予定するものではなく、蓋を大きく開けすぎたときに箱体が剥離又は破損することを防止するために設けられるものである。
【００２２】
（組立て）
図３の組立てられた状態に示されるように、各折曲げ線で図２の表面側を凸にして折曲げ、内側底面部４２を内側に巻き込むようにして組立てる。その結果、外蓋１１又は背面部１２、上面部２１、正面部３１、底面部４１によって筒状体が形成される。筒状体の端面は右側面部５０と左側面部６０によって塞がれ、全体として直方体を構成する。
【００２３】
舌片７１、７２、７３、７４は、それぞれ箱体の内側に折り込まれる。この場合において、特に上面側の舌片７１、７２は、右側面部５０又は左側面部６０に固定しないでおく。貼着舌片８１、８２は箱体の内側に折り込まれ、正面部３１の内側に貼付され固定される。
【００２４】
内側部材の両端となる内蓋１２ｂ及び内側底面部４２は、それぞれ外蓋１１の内側及び底面部４１の内側に貼付され支持される。この状態において、内側上面部２２は、上面部２１との間に隙間を有している。また、内側正面部３１が正面部３１との間に隙間を有していても良い。
【００２５】
（蓋の開閉）
図４は、図３において蓋部１１及び２１を開けた状態を示す切断面図である。図５は、図４の状態における包装箱の斜視図である。
【００２６】
包装箱の蓋を開けるには、外蓋１１の底面部４１側の端部を指で把持して箱体の外側方向に引張る。すると、外蓋１１に貼付された内蓋１２ｂは箱体の外側方向に引張られるが、背面部１２ａは引張られず背面に固定されているので、切断予定線１２ｃが切断され、内蓋１２ｂと背面部１２ａとが分離される。その結果、外蓋１１は上面部２１との間に形成された折曲線を軸に動くことができる。更に、上面部２１や内側上面部２２は側面部５０又は６０に対して固定されていないので、これらの部分（２１及び２２）も、正面部３１、内側正面部３２との間に形成された折曲線を軸に揺動可能である。これによって、外蓋１１及び上面部２１が箱体の蓋を構成し、その結果、箱体には、背面側から上面側に連なる広い開口が形成されることになる（図４及び図５）。
【００２７】
但し、この包装箱は、蓋があまり大きく開き過ぎないようになっている。これは、外側の上面部２１及び正面部３１に対し、内側部材である内側上面部２２及び内側正面部３２を配して２重構造とし、かつ、前者の長さを後者の長さより長く構成したために、揺動可能角度が制限されるためである。すなわち、かかる構成において蓋を大きく開けようとすると、内側上面部２２から内側正面部３２にかけての線が直線状となった（伸びきった）ところで、それ以上蓋が開かないことになる（図４参照）。実際には箱体構成材料がある程度の（箱体構成材料として適する程度の）柔軟性を有するので、それ以上蓋を開くこともできるが、その場合は箱体構成材料の変形に対する反発力が、蓋を閉じる方向に働くことになる。これにより、蓋の開き過ぎを防止している。
【００２８】
また、蓋を開くに従って、内側正面部３２が、図４の矢印Ａ方向に正面部３１から離れていくようになっている。従って、本実施形態では、蓋の開き過ぎを防止して内容物が飛び出してしまうのを防止しているとともに、内容物が取出し易いようになっているのである。
【００２９】
上記特開平１０−３５６５４号公報に示された従来の包装箱では、内側部材の端部が、正面部３１に相当する部分（図１における後面パネル１）に支持されていた。この場合も、蓋が大きく開き過ぎないようにすることはできるが、正面部３１と貼着舌片８１、８２との貼着部が一部はがれてしまう現象が生じていた。その理由は、従来の包装箱において蓋を大きく開けようとすると、正面部３１と上面部２１ｂとの境界に相当する部分に集中して無理な力が加わるためであると考えられる。本実施形態では、内側部材の端部を、底面部４１に支持させているので、固定部の剥離や箱体の損傷という問題が生じにくいようになっている。
【００３０】
更に、本実施形態では、内側正面部３２と内側底面部４２との間に、切断予定線４２ｃが形成されている。このため、蓋を大きく開けようとすると、正面部３１に剥離や破損が生じる前に、切断予定線４２ｃが切れる構成になっているので、正面部３１に剥離や破損が生じないようになっている。
【００３１】
蓋を再封鎖するときは、外蓋１１に形成された差込片１１ａを、背面部１２ａに形成された差込口１２ｄに、箱体の外側から差込む。これにより、蓋が自然に解放しないようにすることができる。
【００３２】
（引掛けタブの形成）
図６は、図３において引掛けタブ２１ｂを起した状態を示す切断面図である。図７は、図６の状態における包装箱の斜視図である。
【００３３】
上面部２１に形成された切断予定線で切断して、引掛けタブ２１ｂを上面部２１から起すと、引掛けタブを釘等の突起物に引掛けて、箱体を吊下げることができる。本実施形態では、上面には内側上面部２２が形成されているので、引掛けタブ２１ｂの形成により上面部２１に形成される開口を、内側上面部２２によって塞ぎ、包装箱の内容物が露出しないようにすることができる。
【００３４】
また、引掛けタブ２１ｂは、第１面に相当する外蓋１１側の端部を軸としてめくり上げられる。従って、引掛けタブを釘等の突起物に引掛けるときは、正面部３１が前面に現れる。
【００３５】
（他の実施形態）
以上の説明では、背面の外蓋１１から内側底面部４２までを一列に配した展開図から箱体を形成することとしたが、展開図はこれに限られるものではなく、他の配置からも本実施形態の箱体構成を得ることができる。
【００３６】
【発明の効果】
本発明によれば、蓋を開けても箱体が破損することがなく、しかも内容物を取出し易い包装箱を提供することができる。また、箱体の一部をめくり上げて形成される開口を塞ぐために、他の用途のために設けられる部材を兼用させて箱体構成材料を有効に活用できる包装箱を提供することが可能となる。
【図面の簡単な説明】
【図１】従来の包装箱の構成を示す斜視図および展開図である。
【図２】本発明の１実施形態による包装箱の展開図である。
【図３】上記包装箱を組立てた状態における、右側面と左側面との中間において側面と平行に切断した場合の切断面図である。
【図４】図３において蓋部１１及び２１を開けた状態を示す切断面図である。
【図５】図４の状態における包装箱の斜視図である。
【図６】図３において引掛けタブ２１ｂを起した状態を示す切断面図である。
【図７】図６の状態における包装箱の斜視図である。
【符号の説明】
１１…外蓋、  １１ａ…差込片、  ２１…上面部、２１ａ…上面部本体、２１ｂ…引掛けタブ、２１ｃ…切断予定線、  ３１…正面部、  ４１…底面部、
１２ａ…背面部、  １２ｂ…内蓋、  １２ｃ…切断予定線、  １２ｄ…差込口、  ２２…内側上面部、  ３２…内側正面部、  ４２…内側底面部、４２ｃ…切断予定線、
５０…右側面部、  ６０…左側面部、  ８１、８２…貼着舌片
【図１】
0004309007.tif 000002
【図２】
0004309007.tif 000003
【図３】
0004309007.tif 000004
【図４】
0004309007.tif 000005
【図５】
0004309007.tif 000006
【図６】
0004309007.tif 000007
【図７】
0004309007.tif 000008